(57)【特許請求の範囲】
【請求項１】
洗浄タンク内の洗浄水の水位に連動して昇降するフロートと、該洗浄タンク内に配置され、外部給水管を通じて送られた水を通水させる通水管と、該通水管に設けられた給水弁と、前記フロートと該給水弁とを連繋する連繋アームとを有し、前記フロートの下降により前記給水弁を開いて前記通水管に下向きに突出状態に設けられた筒状のタンク内吐水口から前記洗浄タンク内に給水を行い、該洗浄タンク内の洗浄水が設定した満水状態となったとき、該フロートの上昇により前記給水弁を閉じて給水停止させるボールタップ装置において
手洗鉢に設けた手洗吐水管に対して前記通水管の水を導く導水管を接続するための筒状の手洗用給水口が、前記タンク内吐水口とは別途に前記通水管に下向きに突出状態に設けてあり、
前記通水管は、前記給水弁の設けられた上流側の本体管と、該本体管とは別体に構成されて該本体管に接続された下流側の接続管とを有していて、該接続管に前記タンク内吐水口と手洗用給水口とが設けてあるとともに、
該タンク内吐水口と手洗用給水口とが、管軸周りの互いの成す角度が９０°未満となるように設けてあり、且つそれぞれが、前記本体管の下流側の管端に対する正面視において鉛直面に対し左側又は右側の何れかの一方の側に向けて設けてあることを特徴とするボールタップ装置。
【請求項２】
請求項１において、前記タンク内吐水口と手洗用給水口とが、管軸周りに同一方向に向けて設けてあることを特徴とするボールタップ装置。
【請求項３】
請求項２において、前記タンク内吐水口と手洗用給水口とが、タンク壁に対して４５°±５°の角度をなす向きで設けてあることを特徴とするボールタップ装置。
【請求項４】
請求項１〜３の何れかにおいて、前記接続管は、前記正面視において前記タンク内吐水口，手洗用給水口のそれぞれが、鉛直面を基準面として同じ角度で左向き，右向きとなる左向き位置，右向き位置の管軸周りの２位置で前記本体管に対し接続可能となしてあることを特徴とするボールタップ装置。
【請求項５】
請求項４において、前記本体管と接続管との一方には凸部から成る位置決め用の第１嵌合部が、他方には対応した凹部から成る位置決め用の第２嵌合部が設けてあって、それらの凹凸嵌合により前記接続管の本体管に対する管軸周りの角度が規定されるようになしてあり、
且つ前記第１嵌合部と第２嵌合部との一方の嵌合部が、前記２位置に対応して前記管軸周りに離隔した２個所に設けてあることを特徴とするボールタップ装置。
【請求項６】
請求項５において、前記一方の嵌合部が周方向に離隔した２個所にだけ設けてあり、他方の嵌合部が１個所にだけ設けてあることを特徴とするボールタップ装置。
【請求項７】
請求項１〜６の何れかにおいて、前記手洗用給水口が前記タンク内吐水口よりも下流側に配置してあることを特徴とするボールタップ装置。
【発明の詳細な説明】
【技術分野】
【０００１】
この発明は便器洗浄のための洗浄水を内部に貯える洗浄タンクに対して給水と給水停止とを自動的に行うボールタップ装置に関する。
【背景技術】
【０００２】
従来、便器洗浄用の装置として、洗浄タンク内の洗浄水の水位に連動して昇降するフロートと、洗浄タンクへの給水を行う給水弁と、フロートと給水弁とを連繋する連繋アームとを有し、フロートの下降により給水弁を開いて洗浄タンク内に給水を行い、洗浄タンク内の洗浄水が設定した満水状態になったとき、フロートの上昇により給水弁を閉じて給水停止させるボールタップ装置が広く用いられている。
例えば下記特許文献１にこの種のボールタップ装置が開示されている。
【０００３】
図７はその具体例を示している。
同図において３００は洗浄タンクで、アウタタンク３０２と、その内側のインナタンク３０４との２重タンク構造をなしている。
アウタタンク３０２の上部には、その蓋を兼用した手洗鉢３０６が設けられており、この手洗鉢３０６から手洗吐水管３０８が起立する形態で設けられている。
手洗鉢３０６の底部には排水口３１０が設けられており、手洗吐水管３０８から吐水された手洗水が、この排水口３１０から洗浄タンク３００内部へと落下する。
【０００４】
３１２は、洗浄タンク３００内部に配設されたボールタップ装置でボールタップ本体３３４と、洗浄タンク３００内の洗浄水の水位に連動して昇降するフロート３１４とを有し、フロート３１４の昇降に連動して給水弁を開閉し、洗浄タンク３００への給水及び給水停止を行う。
ボールタップ本体３３４は、外部給水管３３６を通じ送られた水を通水させる通水管を有していて、その通水管に内部の水路を連通及び連通遮断する給水弁が設けられている。
ボールタップ装置３１２は、フロート３１４が下降すると通水管に設けられた給水弁を開いて、通水管に下向きに突出状態に設けられた筒状のタンク内吐水口３１６を通じ、洗浄タンク３００内に給水を行う。
また一方、洗浄タンク３００内部の水面の上昇につれてフロート３１４が上昇し、そしてその水面が満水状態になると、給水弁を閉じて給水を停止する。
【０００５】
ボールタップ本体３３４からはまた、蛇腹管から成る導水管３１８が延び出していて、その先端部が手洗吐水管３０８に接続され、洗浄タンク３００への給水時にこの導水管３１８を通じて手洗吐水管３０８への給水が併せて行われる。
【０００６】
ここでボールタップ本体３３４の通水管には、筒状の手洗用給水口３３８が上向きに突出状態で設けられており、導水管３１８はその手洗用給水口３３８に接続されて、通水管の水を手洗吐水管３０８へと導く。
【０００７】
洗浄タンク３００の底部にはフロート弁（排水弁）３２０が設けられている。そしてこのフロート弁３２０に対して、洗浄タンク３００の壁部に設けられた洗浄ハンドル３２２と一体に回転するＬ字状の作用レバー３２４の先端部が、鎖３２６を介して連結されている。
而してこのフロート弁３２０は、洗浄ハンドル３２２が回転操作されることで浮き上がって開弁し、ここにおいて洗浄タンク３００内の洗浄水が排出口３２８を通じて便器に向け放出される。
【０００８】
ところで、洗浄タンク３００には図７に示すように手洗吐水管３０８を備えたものと、手洗吐水管３０８を備えていないものとがあり、従来にあっては手洗吐水管３０８を備えたものと備えていないものとで、ボールタップ本体３３８を取り替えることで対応していた。
【０００９】
従来においては、手洗吐水管３０８がボールタップ装置３１２の上側に位置することに対応して、ボールタップ本体３３４の通水管に手洗用給水口３３８を上向きに突出状態に設けて、そこに導水管３１８を接続するようになしており、洗浄タンク３００が手洗吐水管３０８を備えておらず、従って手洗吐水管３０８に通水管の水を導く導水管３１８を用いない場合には、そのような手洗用給水口３３８の設けられていないボールタップ本体３３４を用いて対応していた（手洗用給水口３３８に導水管が接続されていないと、ボールタップ本体３３４の通水管の水が手洗用給水口３３８から上向きに噴出してしまう）。
【００１０】
しかしながらこの場合、手洗吐水管３０８の有無に対応して２種類のボールタップ本体３３４を用意しておかなければならず、ボールタップ装置３１２に要するコストが高くなり、また在庫管理も面倒となって、管理のためのコストも高くなってしまう。
【００１１】
また設置現場で手洗吐水の有りから無しに、またその逆に変更をしたいときに、必要部材を手配しなければならないといった問題も生ずる。
【００１２】
また図７に示すボールタップ３１２の場合、タンク内吐水口３１６が真下向き（鉛直下向き）をなしており、この場合、タンク内吐水口３１６からの吐水がタンク内に貯えてある洗浄水の水面に落下したときの着水音が大きくなる問題がある。
従ってタンク内吐水口３１６は、これを図７中前後方向（紙面と直角方向）に位置するタンク壁に向って斜め下向きとしておくことが望ましいが、そのようにすると、洗浄タンク３００に対して給水用の外部配管が左側にあって、ボールタップ装置に対し左側から給水する左給水と、外部配管が右側にあってボールタップ装置に対し右側から給水する右給水とで、同一のボールタップを用いて対応することができないといった問題が生ずる。
【００１３】
左給水の場合と、右給水の場合との何れにも同一のボールタップ装置を図７中左右の向きを逆向きとすることで共通に用いると、タンク内吐水口の向きが図７の紙面と直角方向で異なった向きとなってしまうからである。
【００１４】
尚本発明に対する先行技術として、下記特許文献１にはロータンク構造についての発明が示され、そこにおいて手洗吐水管有りと無しとに対応することを目的としたボールタップ装置が開示されている。
しかしながらこの特許文献１に開示のものは、手洗吐水管有りの場合と無しの場合との何れにおいても、蛇腹管からなる導水管を用いているものであり、本発明とは別異のものである。
【００１５】
また下記特許文献２には「便器」についての発明が示され、そこにおいて、左給水と右給水とに対応するために洗浄タンクの左，右それぞれに水道管と接続可能な給水金具を設けて、それらを連絡パイプにて接続するようになしたものが開示されている。
しかしながらこの特許文献２に開示のものでは、洗浄タンク内の構造が複雑化してしまい、また所要部品点数及び各部品の洗浄タンクへの組付工数が多くなってしまう問題がある。
【先行技術文献】
【特許文献】
【００１６】
【特許文献１】特開２０００−１６０６２５号公報
【特許文献２】実開平５−６４２６６号公報
【発明の概要】
【発明が解決しようとする課題】
【００１７】
本発明は以上のような事情を背景とし、洗浄タンクが手洗吐水管有りの場合と無しの場合との何れに対しても同一のものを用いて対応可能なボールタップ装置を提供することを目的とする。
また本発明の別の目的は、洗浄タンクに対して外部配管が左側に位置する左給水と、右側に位置する右給水との何れに対しても同一のものを用いて対応可能なボールタップ装置を提供することを目的とする。
【課題を解決するための手段】
【００１８】
請求項１のものは、洗浄タンク内の洗浄水の水位に連動して昇降するフロートと、該洗浄タンク内に配置され、外部給水管を通じて送られた水を通水させる通水管と、該通水管に設けられた給水弁と、前記フロートと該給水弁とを連繋する連繋アームとを有し、前記フロートの下降により前記給水弁を開いて前記通水管に下向きに突出状態に設けられた筒状のタンク内吐水口から前記洗浄タンク内に給水を行い、該洗浄タンク内の洗浄水が設定した満水状態となったとき、該フロートの上昇により前記給水弁を閉じて給水停止させるボールタップ装置において、手洗鉢に設けた手洗吐水管に対して前記通水管の水を導く導水管を接続するための筒状の手洗用給水口が、前記タンク内吐水口とは別途に前記通水管に下向きに突出状態に設けてあり、前記通水管は、前記給水弁の設けられた上流側の本体管と、該本体管とは別体に構成されて該本体管に接続された下流側の接続管とを有していて、該接続管に前記タンク内吐水口と手洗用給水口とが設けてあるとともに、該タンク内吐水口と手洗用給水口とが、管軸周りの互いの成す角度が９０°未満となるように設けてあり、且つそれぞれが、前記本体管の下流側の管端に対する正面視において鉛直面に対し左側又は右側の何れかの一方の側に向けて設けてあることを特徴とする。
【００１９】
請求項２のものは、請求項１において、前記タンク内吐水口と手洗用給水口とが、管軸周りに同一方向に向けて設けてあることを特徴とする。
【００２０】
請求項３のものは、請求項２において、前記タンク内吐水口と手洗用給水口とが、タンク壁に対して４５°±５°の角度をなす向きで設けてあることを特徴とする。
【００２１】
請求項４のものは、請求項１〜３の何れかにおいて、前記接続管は、前記正面視において前記タンク内吐水口，手洗用給水口のそれぞれが、鉛直面を基準面として同じ角度で左向き，右向きとなる左向き位置，右向き位置の管軸周りの２位置で前記本体管に対し接続可能となしてあることを特徴とする。
【００２２】
請求項５のものは、請求項４において、前記本体管と接続管との一方には凸部から成る位置決め用の第１嵌合部が、他方には対応した凹部から成る位置決め用の第２嵌合部が設けてあって、それらの凹凸嵌合により前記接続管の本体管に対する管軸周りの角度が規定されるようになしてあり、且つ前記第１嵌合部と第２嵌合部との一方の嵌合部が、前記２位置に対応して前記管軸周りに離隔した２個所に設けてあることを特徴とする。
【００２３】
請求項６のものは、請求項５において、前記一方の嵌合部が周方向に離隔した２個所にだけ設けてあり、他方の嵌合部が１個所にだけ設けてあることを特徴とする。
【００２４】
請求項７のものは、請求項１〜６の何れかにおいて、前記手洗用給水口が前記タンク内吐水口よりも下流側に配置してあることを特徴とする。
【発明の作用・効果】
【００２５】
以上のように本発明は、手洗鉢の手洗吐水管に通水管の水を導く導水管を接続するための筒状の手洗用給水口を、タンク内吐水口とは別途に通水管に下向きに突出状態で設けたものである。
【００２６】
本発明のボールタップ装置では、洗浄タンクが手洗吐水管を有するものである場合、導水管を手洗用給水口に接続して、通水管の水を導水管を通じ手洗吐水管に導くようにする。
一方洗浄タンクが手洗吐水管を備えていないものである場合、手洗用給水口に導水管を接続せず、手洗用給水口をそのまま開放状態としておく。
【００２７】
この場合、通水管の水はタンク用吐水口と手洗用給水口の両方とから吐水されることとなる。
このとき、手洗用給水口が上向きに設けてあると、その手洗用給水口から上向きに吐水されてしまうが、本発明ではこの手洗用給水口が下向きに設けてあるため、この手洗用給水口からは通水管の水が洗浄タンクに向けて下向きに吐水される。
即ち手洗用給水口に導水管を接続していない場合には、手洗用給水口が第２のタンク内吐水口として働く。
【００２８】
本発明では、上記通水管を、給水弁の設けられた上流側の本体管と、本体管とは別体に構成されて本体管に接続された下流側の接続管とを有するものとなし、その接続管に上記のタンク内吐水口と手洗用給水口とを設けておく。
【００２９】
この場合において、タンク内吐水口と手洗用給水口とは、管軸周りの互いのなす角度が９０°未満となるように設け、そしてそれぞれを、本体管の下流側の管端に対する正面視において鉛直面に対し左側又は右側の何れか一方の側に向けて設けておく。
【００３０】
このようにタンク内吐水口と手洗用給水口とを、互いのなす角度が９０°未満となるように設けておくことで、タンク内吐水口と、手洗吐水管を有しない場合に第２のタンク内吐水口として働く手洗用給水口とを、本体管の下流側の管端に対する正面視において鉛直面に対し左側又は右側の何れか一方の側だけに、その向きを配向させておくことができる。
【００３１】
これにより、タンク内吐水口と手洗用給水口との両方からタンク内に吐水させる場合において、タンク内吐水口と手洗用給水口とから、上記正面視における左側又は右側の一方の側且つ同じ側に向けて吐水させることができる。
【００３２】
本発明では、タンク内吐水口と手洗用給水口とを管軸周りに同一方向に向けて、即ち同一角度で設けておくことができる（請求項２）。
このように筒状に突出したタンク内吐水口と手洗用給水口とを同一方向に向けておいた場合、接続管を樹脂にて成形する場合に金型構造を複雑化させず、成形品の脱型も容易となって製造コストを安価となすことができる。
【００３３】
この場合においてタンク内吐水口と手洗用給水口とを、タンク壁に対して４５°±５°の角度をなす向きで設けておくことができる（請求項３）。
このようにすることで、タンク内吐水口と手洗用給水口からタンク内に吐水させたとき、タンク外に飛沫が飛ぶのを効果的に抑制できるとともに、タンク内への吐水の着水音を良好に低減することができる。
【００３４】
本発明では、上記接続管を、上記の正面視においてタンク内吐水口，手洗用給水口のそれぞれが、鉛直面を基準面として同じ角度で左向き、右向きとなる左向き位置，右向き位置の管軸周りの２位置で本体管に対し接続可能となしておくことができる（請求項４）。
このようにすることで、同一のボールタップ装置を用いつつ左給水と右給水との何れにも対応することができる。
【００３５】
本発明ではまた、本体管と接続管との一方に凸部からなる位置決め用の第１嵌合部を、他方に対応した凹部からなる位置決め用の第２嵌合部を設けて、それらの凹凸嵌合により、接続管の本体管に対する管軸周りの角度を規定するようになしておくことができる。
【００３６】
この場合において、第１嵌合部と第２嵌合部との一方の嵌合部を上記２位置に対応した角度差で管軸周りに離隔した２個所に設けておくことができる（請求項５）。
【００３７】
このようにしておけば、２個所に設けた一方の嵌合部と、他方の嵌合部との嵌合の組合せを変えることで、接続管を本体管に対し上記の左向き位置と右向き位置とのそれぞれに自動的に位置決めすることができる。即ちそのような位置決状態で接続管を本体管に接続状態とすることができる。
【００３８】
この場合において第１嵌合部と第２嵌合部との一方は管軸周りに離隔した２個所にだけ設けておき、また他方は１個所にだけ設けておくことができる（請求項６）。
このようにしておけば、接続管が本体管に対し上記の左向き位置と右向き位置以外の他の管軸周りの位置、向きで誤って本体管に組み付けられてしまうのを防止することができる。即ち本体管に対する接続管の誤組付けを防止することができる。
【００３９】
本発明ではまた、接続管を本体管に対し爪と係止部との弾性係止により抜止状態に接続するものとなしておくことができる。
このようにしておけば、接続管を本体管に対しワンタッチで簡単に抜止状態に接続することができる。
【００４０】
本発明ではまた、手洗用給水口をタンク内吐水口よりも下流側に配置しておくことが望ましい（請求項７）。
通常ボールタップ装置の通水管には、その下流側に通水管からの水をオーバーフロー管を通じて便器に補給するための補給水管が接続される。
この場合、通水管に対する補給水管の接続部分で水路の抵抗が大となり、通水管の下流側の部分の内圧が高くなる。
従ってその内圧が高くなる側に手洗用給水口を設けておくことで、手洗用給水口を通じて手洗吐水管に手洗水を導く際に手洗水の流量を多く確保することができる。
【図面の簡単な説明】
【００４１】
【図１】本発明の一実施形態であるボールタップ装置を洗浄タンクの内部構造とともに示した図である。
【図２】同実施形態のボールタップ装置を示した図である。
【図３】同実施形態のボールタップ装置の給水弁と周辺部を示した図である。
【図４】図３の給水弁を閉弁状態と開弁状態とで示した図である。
【図５】同実施形態のボールタップ装置における接続管を組付前の状態で示した図である。
【図６】同実施形態における接続管の作用説明図である。
【図７】従来のボールタップ装置の一例を示した図である。
【発明を実施するための形態】
【００４２】
次に本発明の実施形態を図面に基づいて詳しく説明する。
図１において、１０は洗浄タンクで樹脂製のアウタタンク１２と、その内側の樹脂製のインナタンク１４との２重タンク構造をなしている。
アウタタンク１２の上部には、その蓋を兼用した樹脂製の手洗鉢１６が設けられており、この手洗鉢１６から起立する形態で手洗吐水管１８が手洗鉢１６に設けられている。
手洗鉢１６の底部には排水口２０が設けられており、手洗吐水管１８から吐水された手洗水が、この排水口２０から洗浄タンク１０内部へと落下する。
【００４３】
２２は洗浄タンク１０内部に配設されたボールタップ装置、２４はボールタップ本体である。
ボールタップ本体２４は、インナタンク１４に取り付けられており、そしてそのボールタップ本体２４に対して外部給水管２６が接続されている。
外部給水管２６を通じて供給された水は、ボールタップ装置２２の後述の図２に示す給水弁５８の開弁によって洗浄タンク１０内部に給水され、また給水弁５８の閉弁によって給水停止される。
【００４４】
ボールタップ装置２２は、洗浄タンク１０内部の洗浄水の水位に連動して昇降するフロート２８と、フロート２８と給水弁５８とを連繋する連繋アーム３０とを有している（フロート２８及び連繋アーム３０は何れも樹脂製）。
また連繋アーム３０は、アーム部３２と、その先端から下向きに延びる軸部３４とを有しており、その軸部３４に対してフロート２８が組み付けられている。
【００４５】
洗浄タンク１０の壁部には、洗浄ハンドル３６が回転可能に設けられている。
３８は、洗浄タンク１０内部において洗浄ハンドル３６に連動して回動する、Ｌ字状をなす作用レバーで、その先端が鎖４０を介して図示を省略する排水弁に連結されている。
その排水弁は、洗浄ハンドル３６の回転操作によって閉弁状態から開弁させられ、これにより洗浄タンク１０内部に貯えられている洗浄水が、洗浄タンク１０底部の排出口から便器に向けて勢い良く排出せしめられる。
【００４６】
図２において、４４はボールタップ本体２４に備えられた本体管で、この本体管４４の図２中左端部に図１の外部給水管２６が接続されている。
また右端部には、本体管４４とは別体をなす接続管（ここでは樹脂製）４６の左端部が外嵌状態に接続されている。
この実施形態では、本体管４４と接続管４６とでボールタップ装置２２における通水管１００が構成されている。
通水管１００の一部をなす接続管４６には、図２中右端部に補給水管４８が接続されている。
補給水管４８は便器に補給水を供給するためのもので、図１に示しているようにその先端側がアダプタを介して洗浄タンク１０内部のオーバーフロー管４２に組み付けられ、補給水管４８からの補給水がオーバーフロー管４２内に流入するようになっている。
この実施形態において、補給水管４８はゴムチューブから成っている。
【００４７】
ここで補給水管４８は継手１０６を介して通水管１００に、詳しくは接続管４６の下流側の端部に接続されている。
この補給水管４８と接続管４６との接続部では水路５６の幅が狭くなっており、その接続部分において水路５６を流れる水に対して抵抗が生じる。
【００４８】
接続管４６には、通水管１００の水を洗浄タンク、具体的にはインナタンク１４内に吐水する筒状のタンク内吐水口５０と、図１の手洗吐水管１８に向けて供給するための筒状の手洗用給水口５２とが一体に設けられている。
尚手洗用給水口５２は、タンク内吐水口５０に対して下流側に配置されている。
この実施形態では、手洗用給水口５２に対して、通水管１００の水を図１に示す手洗吐水管１８に導くための導水管５４の一端側が接続されている。
ここで導水管５４は蛇腹管から成っており、その先端側が手洗吐水管１８に接続されている。
【００４９】
図２に示しているように、本体管４４には水路５６を連通及び連通遮断する給水弁５８が設けられている。この給水弁５８は、フロート２８の昇降に伴って連繋アーム３０が軸６０周りに回動することで開弁及び閉弁せしめられる。
具体的には、フロート２８の上昇により連繋アーム３０が軸６０周りに反時計回りに回動することで、給水弁５８が閉弁せしめられ、またフロート２８の下降に伴って連繋アーム３０が軸６０周りに図中時計回りに回動運動することで、給水弁５８が開弁せしめられる。
【００５０】
而して給水弁５８が開弁すると水路５６が連通状態即ち開放状態となって、外部給水管２６からの水が本体管４４から接続管４６へと流れ込み、そしてその接続管４６のタンク内吐水口５０から洗浄タンク１０内に向けて吐水され、また手洗用給水口５２を通じて手洗吐水管１８に（手洗吐水管１８がある場合）、或いは手洗用給水口５２を通じて洗浄タンク１０内に吐水される（手洗吐水管１８を備えていない場合）。
また接続管４６に流れ込んだ水が、更に補給水管４８を通じてオーバーフロー管４２から便器へと流れ込み、便器に対して補給水が供給される。
【００５１】
本実施形態において、給水弁５８はダイヤフラム式且つパイロット式の弁とされている。
図３にその構成が具体的に示してある。
図３において、６２は給水弁５８における主弁でダイヤフラム弁から成っている。
この主弁６２は、ゴム等の弾性材から成るダイヤフラム膜６６と、これよりも硬質の（ここでは樹脂製）ダイヤフラムホルダ６８とから成っている。
【００５２】
ダイヤフラム膜６６は外周部７０が厚肉とされており、この外周部７０が、本体管４４とカップ状をなすダイヤフラム押え７２とによって上下に挟持されている。そしてそれらによる挟持によってダイヤフラム膜６６の外周部７０が、本体管４４に固定されている。
ここでダイヤフラム膜６６の外周部７０は同時にシール部としての働き、即ち水路５６と外部とを水密に遮断し、シールする働きをなしている。
【００５３】
このカップ状をなすダイヤフラム押え７２は、本体管４４に一体に構成された円筒部７４に対して、図中下側から上向きに内嵌状態に嵌入せしめられ、そして円筒部７４の外周面の雄ねじ部７６に対して、袋ナット８０の内周面の雌ねじ部７８が螺合されることによって、ダイヤフラム押え７２が円筒部７４に即ち本体管４４に固定されている。
【００５４】
即ちこの実施形態では、袋ナット８０を図中上向きにねじ込むことで、円筒部７４に内嵌状態に嵌入されたダイヤフラム押え７２が上向きに押し上げられて、かかるダイヤフラム押え７２が本体管４４と協働してダイヤフラム膜６６の外周部７０を、所定の締代で弾性圧縮状態に締め付ける構造となっている。
【００５５】
カップ状をなすダイヤフラム押え７２は、背圧室形成部材としての働きも有しており、ダイヤフラム弁から成る主弁６２の図中下側の背後に背圧室８２を形成している。
この背圧室８２は内部の圧力を主弁６２に対して図中上向きの閉弁方向の押圧力として作用させる。
【００５６】
一方、主弁６２には中心から偏心した位置において、水路５６における１次側と背圧室８２とを連通させる貫通の導入小孔８４が設けられている。
この導入小孔８４は、水路５６における１次側の水を背圧室８２に流入させて背圧室８２の圧力を増大させる働きをなす。
【００５７】
一方、ダイヤフラム押え７２にはその中心部にこれを貫通する水抜水路としてのパイロット水路８６が設けられている。
このパイロット水路８６は、背圧室８２内の水を抜いて背圧室８２の圧力を減少させる働きをなす。
【００５８】
上記連繋アーム３０のアーム部３２の基端部にはパイロット弁８８が設けられ、このパイロット弁８８のシール部９０がパイロット弁座９２に上向きに着座することで、パイロット水路８６が閉鎖される。
【００５９】
この実施形態において、給水弁５８は次のように作用する。
即ち、図４（Ａ）に示すように給水弁５８が閉弁状態の下で、図２のフロート２８の下降により連繋アーム３０が軸６０周りに回動してパイロット弁８８がパイロット弁座９２から図中下向きに離間し開弁すると、図３の背圧室８２内の水がパイロット水路８６を通じて流出し、背圧室８２の圧力が減少する。
すると水路５６における１次側の圧力が背圧室８２の圧力に打ち勝つに到って、主弁６２が図３（Ａ）及び図４（Ａ）に示す状態から下向きに離間し開弁する。
【００６０】
そして主弁６２が開弁することで水路５６が連通状態となり、本体管４４から図２の接続管４６及び補給水管４８に向けて水が流れ込む。
ここにおいてタンク内吐水口５０，手洗用給水口５２から水が吐出され、更に補給水管４８を通じてオーバーフロー管４２から便器内に補給水が供給される。
【００６１】
一方、フロート２８の上昇に連動して連繋アーム３０が図２の軸６０周りに反時計回りに回動運動すると、フロート２８が上昇端に到ったところで、即ち洗浄タンク内の水が設定した満水状態になったところで、パイロット弁８８のシール部９０がパイロット弁座９２に上向きに着座して閉弁し、ここにおいて背圧室８２からの水の流出が停止する。
【００６２】
すると導入小孔８４を通じての背圧室８２への水の流入により背圧室８２の圧力が上昇し、そしてその圧力上昇によってダイヤフラム弁から成る主弁６２が主弁座６４に上向きに着座し、閉弁する。
ここにおいて水路５６の水の流れが停止し、洗浄タンク１０及び手洗吐水管１８への給水が停止する。
【００６３】
図３（Ａ）及び図４に示しているように、背圧室８２の内部には金属製のコイルばね９５が設けられている。
コイルばね９５は、その上端を主弁６２に当接させ、またその下端をダイヤフラム押え７２の底部に当接させている。
【００６４】
コイルばね９５の図中下端からは上向きにクリーニングピン９７が延び出しており、このクリーニングピン９７が、主弁６２における上記の導入小孔８４を挿通して上向きに突き出している。
このクリーニングピン９７は、主弁６２が図３及び図４中上下に移動する際に導入小孔８４内を相対摺動運動して、導入小孔８４内に微細なゴミや異物が詰まるのを防止する働きを有している。
この実施形態において、クリーニングピン９７はコイルばね９５の下端から図中上向きにストレート形状で延びた後、主弁６２の上側で僅かに折り曲げられている。図中９８はその折曲部を表している。
【００６５】
ところで、洗浄タンクには図１の洗浄タンク１０のように手洗吐水管１８を備えたものと、手洗吐水管１８を備えていないものとがあり、而して洗浄タンク１０が手洗吐水管１８を備えていない場合には、手洗用給水口５２に対して導水管５４を接続しないで手洗用給水口５２をそのまま開放しておく。
【００６６】
即ちこの実施形態では、手洗吐水管１８を備えている場合には手洗用給水口５２に導水管５４を接続し、また手洗吐水管１８を備えていない場合には手洗用給水口５２に導水管５４を接続せず、手洗用給水口５２をそのまま開放状態としておくことで、手洗吐水管有りのものと無しのものとに対して対応する。
【００６７】
而して洗浄タンク１０が手洗吐水管１８を備えず、手洗用給水口５２に導水管を接続しないで、これをこのまま開放しておく場合には、通水管１００の水はタンク内吐水口５０と手洗用給水口５２との両方から吐水される。
このとき、手洗用給水口５２が水平方向よりも上向きをなしていると、通水管１００の水が手洗用給水口５２から上向きに吐水されてしまう。
そこでここではタンク内吐水口５０を下向きに設けておくのに加えて、手洗用給水口５２もまた下向きに向けて設けてある。
この場合、通水管１００の水は手洗用給水口５２から洗浄タンク内に下向きに吐水される。
このとき、手洗用給水口５２は第２のタンク内吐水口として働く。
【００６８】
但しタンク内吐水口５０，手洗用給水口５２が何れも真下向き、即ち鉛直方向下向きをなしていると、タンク内吐水口５０からの吐水，手洗用給水口５２からの吐水（導水管５４が接続されていない場合）が、洗浄タンク１０内に貯留された洗浄水の水面に着水したときの着水音が大きくなってしまう。
そこでここではタンク内吐水口５０及び手洗用給水口５２の何れもが斜め下向き、具体的には図１において紙面と直角方向の前側のタンク壁Ｗに向けて且つタンク壁Ｗに対し４５°の角度をなす向きで設けてある。
【００６９】
尚、図１はボールタップ装置２２に対して外部給水管２６を含む外部配管が左側に位置し、ボールタップ装置２２に対して左側から給水される左給水の場合を表しているが、現場の状況によってボールタップ装置２２に対し外部配管が図中右側に位置し、ボールタップ装置２２に対して右側から給水される右給水の場合もあり、この場合には、ボールタップ装置２２を図１に示す向きとは逆向きにして、即ち水平方向に１８０°向きを異ならせた状態で設置することで対応することが可能である。
【００７０】
但しこのとき、タンク内吐水口５０及び手洗用給水口５２の向きが、図１の紙面と直角方向において後側のタンク壁を向いた状態になってしまうと、同一のボールタップ装置２２を用いて左給水と右給水との両方とに対応することができない。
そこでこの実施形態では、ボールタップ装置２２を図１に示す向きと、これとは逆向きにした場合との何れにおいても、タンク内吐水口５０，手洗用給水口５２がその向きを維持できるようになしてある。
【００７１】
具体的には、本体管４４に対する接続管４６の管軸周りの取付けの位置（即ち向き）を変えることで、タンク内吐水口５０及び手洗用給水口５２の向きが常に同じ前側のタンク壁Ｗに向くように且つ同じ角度を維持するようになしてある。
以下この点を具体的に説明する。
【００７２】
図５に示しているように、本体管４４の外面には突出形状の爪１０４Ａ，１０４Ｂ，１０４Ｃ，１０４Ｄが周方向に９０°ごと異なった４個所に設けられている。
ここで各爪１０４Ａ〜１０４Ｄのそれぞれには、図中右方向に進むに連れて本体管４４の外面に接近する形状の傾斜面１１２が案内面として設けられている。
このうち爪１０４Ａ，１０４Ｄは小形状で且つそれぞれが同形状をなしており、また爪１０４Ｂ，１０４Ｃは大形状で且つそれぞれが同形状をなしている。
本実施形態では、これら突出形状の爪１０４Ａ，１０４Ｄが位置決め用の嵌合凸部（第１嵌合部）をなしている。
【００７３】
一方接続管４６の側には、図中左端側にソケット部１０８が設けられ、このソケット部１０８を本体管４４に対し外嵌させる状態に、接続管４６が本体管４４に接続されるようになっている。
ソケット部１０８の図中左端側には爪１０４Ａ，１０４Ｂ，１０４Ｃ，１０４Ｄに対応して弾性片１０８Ａ，切欠１０８Ｄ，弾性片１０８Ｃ，切欠１０８Ｂがそれぞれ周方向に９０°ごと隔たった４個所に設けられている。
そして一方の弾性片１０８Ａに、平面４角形状の且つ小形状の位置決め用の嵌合凹部（第２嵌合部）１１０Ａが設けられている。
また他方の弾性片１０８Ｃに、同じく板厚方向に貫通の平面４角形状の貫通穴が係止部１１０Ｃとして設けられている。
【００７４】
この実施形態において、本体管４４側の４個所の爪１０４Ａ〜１０４Ｄのうち、接続管４６の小形状をなす嵌合凹部１１０Ａに対して嵌合可能なのは、小形状をなす爪１０４Ａ，１０４Ｄのみであり、他の爪１０４Ｂ，１０４Ｃは嵌合凹部１１０Ａに対して嵌合不能である。
尚この実施形態において、小形状をなす嵌合凹部１１０Ａは、爪１０４Ａ又は１０４Ｄに係止する係止部を兼ねている。
【００７５】
この実施形態では、嵌合凹部１１０Ａを爪１０４Ａ又は１０４Ｄに対して嵌合させるように接続管４６を本体管４４に対し外挿状態に挿し込んだときにだけ、接続管４６を本体管４４に対して接続可能である。
【００７６】
具体的には、例えば図６（Ａ）（Ｃ）に示すように嵌合凹部１１０Ａを爪１０４Ａに凹凸嵌合させる状態に、接続管４６を本体管４４に挿し込んだとき、本体管４４側の爪１０４Ｂが接続管４６の切欠１０８Ｂ内に入り込み、また爪１０４Ｃが大形状の貫通穴からなる係止部１１０Ｃに嵌り込み、また小形状をなす爪１０４Ｄが切欠１０８Ｄ内に入り込んだ状態となる。
【００７７】
このとき接続管４６は、爪１０４Ａと係止部を兼ねた嵌合凹部１１０Ａとの係止、及び爪１０４Ｃと係止部１１０Ｃとの弾性係止に基づいて本体管４４から抜止めされる。
またこの接続状態において、接続管４６のタンク内吐水口５０と手洗用給水口５２とは、図６（Ｃ）に示しているように本体管４４の下流側の管端に対する正面視において鉛直面よりも左側を向いた状態となる。具体的には鉛直面に対し角度θだけ傾いた方向に向いた状態となる。
【００７８】
一方図６（Ｂ）（Ｄ）に示すように、嵌合凹部１１０Ａを爪１０４Ｄに凹凸嵌合させるように接続管４６を本体管４４に対し外挿状態に挿し込んだときには、爪１０４Ａが切欠１０８Ｂに入り込み、また爪１０４Ｂが大形状の貫通穴からなる係止部１１０Ｃに嵌り込み、また爪１０４Ｃが切欠１０８Ｄ内に入り込んだ状態となる。
そしてこのときには、図６（Ｄ）に示しているようにタンク内吐水口５０及び手洗用給水口５２が、鉛直面に対し右側を向いた状態、具体的には鉛直面に対し角度θだけ右斜め下方向を向いた状態となる。
【００７９】
即ちこの実施形態では、接続管４６を本体管４４に対し図６（Ｃ）に示す左向き位置に接続した場合と、図６（Ｄ）に示す右向き位置に接続した場合とで、タンク内吐水口５０及び手洗用給水口５２は、鉛直面に対し同じ角度θで互いに逆を向いた状態となる。
この結果、左給水に対応してボールタップ装置２２を図６（Ａ）に示す向きで設置した場合と、右給水に対応して図６（Ｂ）に示す向きで設置した場合とで、タンク内吐水口５０及び手洗用給水口５２は、取付状態で何れもタンク壁Ｗに向って同一角度で同一方向を向いた状態に維持される。
【００８０】
尚上記角度θは、タンク内吐水口５０及び手洗用給水口５２が図１のタンク壁Ｗに対し４５°の角度をなすようにその角度が選定される。通常はタンク壁Ｗが鉛直向きをなしていることから、角度θは鉛直方向に対し４５°の角度に設定される。
上記の説明から明らかなように、接続管４６は図６（Ｃ），（Ｄ）に示す角度以外の角度で（つまり管軸周りの異なった位置で）本体管４４対し接続することはできない。従って接続管４６が本体管４４に対し上記とは異なった角度で誤組付けされてしまうのが有効に防止される。
【００８１】
以上のように本実施形態のボールタップ装置２２では、洗浄タンク１０が手洗吐水管１８を備えている場合、備えていない場合の何れにも同一のボールタップ装置２２を用いて対応することができる。
【００８２】
また本実施形態では、タンク内吐水口５０と手洗用給水口５２とが管軸周りに同一方向に向けて、即ち同一角度で設けてあるため、接続管４６を樹脂にて成形する場合に金型構造を複雑化させず、成形品の脱型も容易となって、製造コストを安価となすことができる。
【００８３】
またタンク内吐水口５０と手洗用給水口５２とを、タンク壁に対して４５°の角度をなす向きで設けてあるため、タンク内吐水口５０と手洗用給水口５２からタンク内に吐水させたとき、タンク外に飛沫が飛ぶのを効果的に抑制できるとともに、タンク内への吐水の着水音を良好に低減することができる。
【００８４】
更に本実施形態では接続管４６を本体管４４に対し爪１０４Ｂ，１０４Ｃと係止部１１０Ｃとの弾性係止、及び爪１０４Ａ，１０４Ｄと係止部となる嵌合凹部１１０Ａとの弾性係止により抜止状態に接続するものとなしてあるため、接続管４６を本体管４４に対しワンタッチで簡単に抜止状態に接続することができる。
【００８５】
更に本実施形態では、手洗用給水口５２をタンク内吐水口５０よりも内圧の高い下流側に配置してあるため、手洗用給水口５２を通じて手洗吐水管１８に手洗水を導く際に手洗水の流量を多く確保することができる。
【００８６】
以上本発明の実施形態を詳述したがこれはあくまで一例示である。
例えば本発明ではタンク内吐水口５０及び手洗用給水口５２を、タンク壁Ｗに対し４５°±５°の角度で設けておくことが望ましいが、それ以外の角度でタンク内吐水口及び手洗用給水口を設けておくといったことも可能である。
更に本体管と接続管とを抜止めするための爪と係止部とを、回転方向位置の規定のための第１嵌合部と第２嵌合部とは別途に設けるといったことも可能である等、本発明はその趣旨を逸脱しない範囲において種々変更を加えた形態で構成可能である。
【符号の説明】
【００８７】
１０  洗浄タンク
１６  手洗鉢
１８  手洗吐水管
２２  ボールタップ装置
２６  外部給水管
２８  フロート
３０  連繋アーム
４４  本体管
４６  接続管
５０  タンク内吐水口
５２  手洗用給水口
５４  導水管
５８  給水弁
１００  通水管
１０４Ａ，１０４Ｄ  爪（嵌合凸部）（第１嵌合部）
１０４Ｂ，１０４Ｃ  爪
１１０Ａ  嵌合凹部（第２嵌合部）
１１０Ｃ  係止部
【図１】
0005582496.tif 000002
【図２】
0005582496.tif 000003
【図３】
0005582496.tif 000004
【図４】
0005582496.tif 000005
【図５】
0005582496.tif 000006
【図６】
0005582496.tif 000007
【図７】
0005582496.tif 000008